【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
入力ビデオデータをオープンＧＯＰにより符号化処理し、オープンＧＯＰの符号化データを出力する副エンコード部と、
前記オープンＧＯＰの符号化データを復号化処理し、オープンＧＯＰのビデオデータを出力するデコード部と、
前記オープンＧＯＰのビデオデータに前記副エンコード部と同一にピクチャータイプを順次設定して、前記オープンＧＯＰのビデオデータをクローズドＧＯＰにより符号化処理し、出力符号化データを出力する主エンコード部とを備える
符号化装置。
【請求項２】
前記主エンコード部は、
前記オープンＧＯＰのビデオデータをクローズドＧＯＰにより符号化処理してクローズドＧＯＰの符号化データを生成するクローズドＧＯＰのエンコード部と、
前記クローズドＧＯＰの符号化データのうち、前記オープンＧＯＰの符号化データにおいて、直前ＧＯＰのピクチャーを参照していないピクチャーの符号化データを、対応する前記オープンＧＯＰの符号化データで置き換えて前記出力符号化データを生成する置替部とを有する
請求項１に記載の符号化装置。
【請求項３】
前記置替部で置き換える前記オープンＧＯＰの符号化データについて、オープンＧＯＰを示す識別情報をクローズドＧＯＰを示す識別情報に変更する変更部を有する
請求項２に記載の符号化装置。
【請求項４】
前記主エンコード部は、
前記オープンＧＯＰの符号化データにおいて直前ＧＯＰのピクチャーを参照しているピクチャーへの割り当て符号量を、前記副エンコード部に比して増大させて前記出力符号化データを生成する
請求項１に記載の符号化装置。
【請求項５】
前記主エンコード部は、
前記オープンＧＯＰのビデオデータが、前記オープンＧＯＰの符号化データにおいて直前ＧＯＰのピクチャー以外のピクチャーを参照しているピクチャーのビデオデータの場合、前記クローズドＧＯＰのエンコード部への電源の供給が停止制御され、前記クローズドＧＯＰのエンコード部の動作が停止する
請求項２に記載の符号化装置。
【請求項６】
前記主エンコード部の入力を、前記オープンＧＯＰのビデオデータと前記入力ビデオデータとで切り換える選択回路と、
前記選択回路を制御する制御部とを有し、
前記制御部は、
前記出力符号化データにおいてＧＯＰノイズが目立ち難い場合に、前記入力ビデオデータを前記主エンコード部に入力するように、前記選択回路を制御し、
前記出力符号化データにおいてＧＯＰノイズが目立ち易い場合に、前記オープンＧＯＰのビデオデータを前記主エンコード部に入力するように、前記選択回路を制御する
請求項２に記載の符号化装置。
【請求項７】
前記制御部は、
前記入力ビデオデータの動き量を判定し、
前記動き量が大きい場合には、前記ＧＯＰノイズが目立ち難い場合と判定し、
前記動き量が小さい場合には、前記ＧＯＰノイズが目立ち易い場合と判定する
請求項６に記載の符号化装置。
【請求項８】
少なくとも前記主エンコード部は、
可変ビットレートで前記出力符号化データを出力し、
前記制御部は、
前記出力符号化データにおける発生ビット量を判定し、
前記発生ビット量が多い場合には、前記ＧＯＰノイズが目立ち難い場合と判定し、
前記発生ビット量が少ない場合には、前記ＧＯＰノイズが目立ち易い場合と判定する
請求項６に記載の符号化装置。
【請求項９】
少なくとも前記主エンコード部は、
発生符号量に応じたフィードバック制御による量子化スケールの制御により固定ビットレートで前記出力符号化データを出力し、
前記制御部は、
前記量子化スケールの量子化ステップサイズを判定し、
前記量子化ステップサイズが大きい場合には、前記ＧＯＰノイズが目立ち難い場合と判定し、
前記量子化ステップサイズが小さい場合には、前記ＧＯＰノイズが目立ち易い場合と判定する
請求項６に記載の符号化装置。
【請求項１０】
前記出力符号化データを記録媒体に記録する記録手段と、
前記主エンコード部の入力を、前記オープンＧＯＰのビデオデータと前記入力ビデオデータとで切り換える選択回路と、
前記選択回路を制御する制御部とを有し、
少なくとも前記主エンコード部は、
可変ビットレートで前記出力符号化データを出力し、
前記制御部は、
前記記録媒体の残量を判定し、
前記残量が少ない場合には、前記入力ビデオデータを前記主エンコード部に入力するように、前記選択回路を制御し、
前記残量が多い場合には、前記オープンＧＯＰのビデオデータを前記主エンコード部に入力するように、前記選択回路を制御する
請求項２に記載の符号化装置。
【請求項１１】
前記主エンコード部の入力を、前記オープンＧＯＰのビデオデータと前記入力ビデオデータとで切り換える選択回路と、
前記選択回路を制御する制御部とを有し、
前記制御部は、
前記出力符号化データにおいてＧＯＰノイズが目立ち難い場合に、前記入力ビデオデータを前記主エンコード部に入力するように、前記選択回路を制御し、
前記出力符号化データにおいてＧＯＰノイズが目立ち易い場合に、前記オープンＧＯＰのビデオデータを前記主エンコード部に入力するように、前記選択回路を制御する
請求項１に記載の符号化装置。
【請求項１２】
前記出力符号化データを記録媒体に記録する記録手段と、
前記主エンコード部の入力を、前記オープンＧＯＰのビデオデータと前記入力ビデオデータとで切り換える選択回路と、
前記選択回路を制御する制御部とを有し、
少なくとも前記主エンコード部は、
可変ビットレートで前記出力符号化データを出力し、
前記制御部は、
前記記録媒体の残量を判定し、
前記残量が少ない場合には、前記入力ビデオデータを前記主エンコード部に入力するように、前記選択回路を制御し、
前記残量が多い場合には、前記オープンＧＯＰのビデオデータを前記主エンコード部に入力するように、前記選択回路を制御する
請求項１に記載の符号化装置。
【請求項１３】
入力ビデオデータをオープンＧＯＰにより符号化処理し、オープンＧＯＰの符号化データを出力する副エンコードのステップと、
前記オープンＧＯＰの符号化データを復号化処理し、オープンＧＯＰのビデオデータを出力するデコードのステップと、
前記オープンＧＯＰのビデオデータに前記副エンコードのステップと同一にピクチャータイプを順次設定して、前記オープンＧＯＰのビデオデータをクローズドＧＯＰにより符号化処理し、出力符号化データを出力する主エンコードのステップとを備える
符号化方法。
【請求項１４】
入力ビデオデータを符号化処理する符号化方法のプログラムにおいて、
前記入力ビデオデータをオープンＧＯＰにより符号化処理し、オープンＧＯＰの符号化データを出力する副エンコードのステップと、
前記オープンＧＯＰの符号化データを復号化処理し、オープンＧＯＰのビデオデータを出力するデコードのステップと、
前記オープンＧＯＰのビデオデータに前記副エンコードのステップと同一にピクチャータイプを順次設定して、前記オープンＧＯＰのビデオデータをクローズドＧＯＰにより符号化処理し、出力符号化データを出力する主エンコードのステップとを備える
符号化方法のプログラム。
【請求項１５】
入力ビデオデータを符号化処理する符号化方法のプログラムを記録した記録媒体において、
前記符号化方法のプログラムは、
前記入力ビデオデータをオープンＧＯＰにより符号化処理し、オープンＧＯＰの符号化データを出力する副エンコードのステップと、
前記オープンＧＯＰの符号化データを復号化処理し、オープンＧＯＰのビデオデータを出力するデコードのステップと、
前記オープンＧＯＰのビデオデータに前記副エンコードのステップと同一にピクチャータイプを順次設定して、前記オープンＧＯＰのビデオデータをクローズドＧＯＰにより符号化処理し、出力符号化データを出力する主エンコードのステップとを有する
符号化方法のプログラムを記録した記録媒体。